(57)【要約】【課題】  本発明は、エミッション監視システムにおいて第１のコンピュータから第２のコンピュータにデータを転送するシステム及び方法を提供する。【解決手段】  本方法は、第１のコンピュータから第２のコンピュータに送信される、第１のサイト特有値を有する第１のソフトウェア変数を含む第１のメッセージを生成する段階を含む。第１のサイト特有値は、第１のコンピュータと関連付けられたフォールト事象、メインテナンス事象又はカリブレイション事象の１つが発生したか否かを示す。本方法はさらに、第１のデータベースの第１のレコード内に第１のサイト特有値を記憶する第２のコンピュータにおいて第１のメッセージを受信する段階を含む。第１のレコードは、第１のソフトウェア変数と関連付けられている。【選択図】      図１
2006085677.tif 000002
【特許請求の範囲】
【請求項１】
エミッション監視システムにおいて第１のコンピュータから第２のコンピュータにデータを転送する方法であって、
前記第１のコンピュータから前記第２のコンピュータに送信される、前記第１のコンピュータと関連付けられたフォールト事象、メインテナンス事象又はカリブレイション事象の１つが発生したか否かを示す第１のサイト特有値を有する第１のソフトウェア変数を含む第１のメッセージを生成する段階と、
前記第１のソフトウェア変数と関連付けられている第１のデータベースの第１のレコード内に前記第１のサイト特有値を記憶する前記第２のコンピュータにおいて前記第１のメッセージを受信する段階と、
前記第１のサイト特有値が事象が発生したことを示すか否かを判定する段階と、
前記第１のサイト特有値が事象が発生したことを示す場合には、第１の所定名と事象が発生したことを示す第１の標準値に等しい値との両方を有する第２のソフトウェア変数を生成し、そうでない場合には、前記第１の所定名と事象が発生しなかったことを示す第２の標準値に等しい値との両方を有する第３のソフトウェア変数を生成する段階と、
を含む方法。
【請求項２】
前記第１のサイト特有値がフォールト事象、メインテナンス事象又はカリブレイション事象の１つが発生したことを示すか否かを判定する前記段階が、前記第１のサイト特有値が事象の発生を示すサイト特有事象指標値に等しいか否かを判定する段階を含む、請求項１記載の方法。
【請求項３】
エミッション監視装置がカリブレイションガスを監視している時に該エミッション監視装置が所定値と実質的に同じでない測定値を生成した場合に、フォールト事象が発生している、請求項１記載の方法。
【請求項４】
前記メインテナンス事象が、前記第１のコンピュータが非動作であることを示す値に対応する、請求項１記載の方法。
【請求項５】
前記カリブレイション事象が、前記第１のコンピュータが少なくとも１つのエミッションセンサからカリブレイションデータを受信していることを示す値に対応する、請求項１記載の方法。
【請求項６】
第３のコンピュータから前記第２のコンピュータに送信される、該第３のコンピュータと関連付けられたフォールト事象、メインテナンス事象又はカリブレイション事象の１つが発生したか否かを示す第２のサイト特有値を有する第４のソフトウェア変数を含む第２のメッセージを生成する段階と、
前記第４のソフトウェア変数と関連付けられている前記第１のデータベースの第４のレコード内に前記第２のサイト特有値を記憶する前記第２のコンピュータにおいて前記第２のメッセージを受信する段階と、
前記第２のサイト特有値が事象が発生したことを示すか否かを判定する段階と、
前記第２のサイト特有値が事象が発生したことを示す場合には、第２の所定名と事象が発生したことを示す前記第１の標準値に等しい値との両方を有する第５のソフトウェア変数を生成し、そうでない場合には、前記第２の所定名と事象が発生しなかったことを示す第２の標準値に等しい値との両方を有する第６のソフトウェア変数を生成する段階と、
をさらに含む、請求項１記載の方法。
【請求項７】
第１のコンピュータから第２のコンピュータにデータを転送するエミッション監視システムであって、
フォールト事象、メインテナンス事象又はカリブレイション事象の１つが発生したか否かを示す第１のサイト特有値を有する第１のソフトウェア変数を含む第１のメッセージを生成するように構成された第１のコンピュータと、
前記第１のコンピュータに動作可能に結合された第２のコンピュータと、を含み、
前記第１のコンピュータがさらに、前記第１のメッセージを前記第２のコンピュータに送信するように構成され、
前記第２のコンピュータがさらに、前記第１のソフトウェア変数と関連付けられている第１のデータベースの第１のレコード内に前記第１のサイト特有値を記憶するように構成され、前記第２のコンピュータがさらに、前記第１のサイト特有値が事象が発生したことを示すか否かを判定するように構成され、前記第１のサイト特有値が事象が発生したことを示す場合には、前記第２のコンピュータが第１の所定名と事象が発生したことを示す第１の標準値に等しい値との両方を有する第２のソフトウェア変数を生成するように構成され、前記第１のサイト特有値が事象が発生しなかったことを示す場合には、前記第２のコンピュータが前記第１の所定名と事象が発生しなかったことを示す第２の標準値に等しい値との両方を有する第３のソフトウェア変数を生成するように構成されている、
エミッション監視システム。
【請求項８】
前記第２のコンピュータに動作可能に結合された第３のコンピュータをさらに含み、
前記第３のコンピュータが、該第３のコンピュータと関連付けられたフォールト事象、メインテナンス事象又はカリブレイション事象の１つが発生したか否かを示す第２のサイト特有値を有する第４のソフトウェア変数を含む第２のメッセージを生成するように構成され、
前記第２のコンピュータが前記第３のコンピュータに動作可能に結合され、
前記第３のコンピュータがさらに、前記第２のメッセージを前記第２のコンピュータに送信するように構成され、
前記第２のコンピュータがさらに、前記第４のソフトウェア変数と関連付けられている前記第１のデータベースの第４のレコード内に前記第２のサイト特有値を記憶するように構成され、前記第２のコンピュータがさらに、前記第２のサイト特有値が事象が発生したことを示すか否かを判定するように構成され、前記第２のサイト特有値が事象が発生したことを示す場合には、前記第２のコンピュータが第２の所定名と事象が発生したことを示す前記第１の標準値に等しい値との両方を有する第５のソフトウェア変数を生成するように構成され、前記第２のサイト特有値が事象が発生しなかったことを示す場合には、前記第２のコンピュータが前記第２の所定名と事象が発生しなかったことを示す前記第２の標準値に等しい値との両方を有する第６のソフトウェア変数を生成するように構成されている、
請求項７記載のエミッション監視システム。
【請求項９】
エミッション監視装置がカリブレイションガスを監視している時に該エミッション監視装置が所定値と実質的に同じでない測定値を生成した場合に、フォールト事象が発生している、請求項７記載のエミッション監視システム。
【請求項１０】
前記メインテナンス事象が、前記第１のコンピュータが非動作であることを示す値に対応する、請求項７記載のエミッション監視システム。
【請求項１１】
前記カリブレイション事象が、前記第１のコンピュータが少なくとも１つのエミッションセンサからカリブレイションデータを受信していることを示す値に対応する、請求項７記載のエミッション監視システム。
【請求項１２】
前記第１のソフトウェア変数が、サイト特有ソフトウェア変数名を有する、請求項７記載のエミッション監視システム。
【請求項１３】
エミッション監視システムにおいて第１のコンピュータから第２のコンピュータにデータを転送するためのコンピュータ・プログラムをその中にコード化されたコンピュータ記憶媒体を含み、前記コンピュータ記憶媒体が、
前記第１のコンピュータから前記第２のコンピュータに送信される、該第１のコンピュータと関連付けられたフォールト事象、メインテナンス事象又はカリブレイション事象の１つが発生したか否かを示す第１のサイト特有値を有する第１のソフトウェア変数を含む第１のメッセージを生成するためのコードと、
前記第２のコンピュータにおいて前記第１のメッセージを受信し、かつ前記第１のソフトウェア変数と関連付けられている第１のデータベースの第１のレコード内に前記第１のサイト特有値を記憶するためのコードと、
前記第１のサイト特有値が事象が発生したことを示すか否かを判定するためのコードと、
前記第１のサイト特有値が事象が発生したことを示す場合に、第１の所定名と事象が発生したことを示す第１の標準値に等しい値との両方を有する第２のソフトウェア変数を生成するためのコードと、
前記第１の所定名と事象が発生しなかったことを示す第２の標準値に等しい値との両方を有する第３のソフトウェア変数を生成するためのコードと、を含む、
製品。
【発明の詳細な説明】
【技術分野】
【０００１】
本発明は、データを転送するエミッション監視システム及び方法に関する。
【背景技術】
【０００２】
エミッション監視システムは、発電中に発生するエミッションすなわち排気ガスを監視するために開発された。一般的に、このようなエミッション監視システムは、その各々がガスタービン又はボイラで発生するエミッションを監視する複数の局所監視装置を含む。局所監視装置の各々は、エミッション情報を中央監視装置に送信する。異なる地理的サイトにおいて異なる型の局所監視装置を使用する場合には、各局所監視装置は、中央監視コンピュータに送信するフォールト事象、メインテナンス事象又はカリブレイション事象などの事象を示すのに異なるフォーマット、命名法及び値を用いてデータを生成することになる。
【０００３】
任意の監視装置が適切に機能していない場合に、フォールト（ｆａｕｌｔ）事象が発生する。フォールト事象の検出は、一般的に監視装置が特定の限界値内にある既知のカリブレイションガスレベルと相関しないガスレベルを示す時の自動カリブレイション事象の間に認められる。メインテナンス事象は、（ｉ）局所監視装置に動作可能に結合された１つ又はそれ以上の装置が保守（メインテナンス）のために停止されるか、又は（ｉｉ）局所監視装置が保守のために停止されるかのいずれかの時に発生する。カリブレイション事象は、カリブレイションガスが局所監視装置に結合された１つ又はそれ以上のエミッションセンサに供給されている時に発生する。
【０００４】
事象が発生したか否かを示す事象変数を特定する標準化した方法がないので、ソフトウェア開発者は、各々がサイト特有の事象変数フォーマットを使用した、局所監視装置から受信したエミッション情報を表示及び操作するのに非常に苦労してきた。
【特許文献１】米国特許６，５２２，９９４号公報
【発明の開示】
【発明が解決しようとする課題】
【０００５】
従って、局所監視装置からのエミッション情報を表示及び取扱うために、異なる局所監視装置から受信した事象変数又はタグを標準化するエミッション監視システム及び方法に対する必要性が存在する。
【課題を解決するための手段】
【０００６】
例示的な実施形態による、エミッション監視システムにおいて第１のコンピュータから第２のコンピュータにデータを転送する方法を提供する。本方法は、第１のコンピュータから第２のコンピュータに送信される、第１のサイト特有値を有する第１のソフトウェア変数を含む第１のメッセージを生成する段階を含む。第１のサイト特有値は、第１のコンピュータと関連付けられたフォールト事象、メインテナンス事象又はカリブレイション事象の１つが発生したか否かを示す。本方法はさらに、第１のデータベースの第１のレコード内に第１のサイト特有値を記憶する第２のコンピュータにおいて第１のメッセージを受信する段階を含む。第１のレコードは、第１のソフトウェア変数と関連付けられている。本方法はさらに、第１のサイト特有値が事象が発生したことを示すか否かを判定する段階を含む。最後に、本方法は、第１のサイト特有値が事象が発生したことを示す場合には、第１の所定名と事象が発生したことを示す第１の標準値に等しい値との両方を有する第２のソフトウェア変数を生成し、そうでない場合には、第１の所定名と事象が発生しなかったことを示す第２の標準値に等しい値との両方を有する第３のソフトウェア変数を生成する段階を含む。
【０００７】
別の例示的な実施形態による、第１のコンピュータから第２のコンピュータにデータを転送するエミッション監視システムを提供する。本エミッション監視システムは、第１のサイト特有値を有する第１のソフトウェア変数を含む第１のメッセージを生成するように構成された第１のコンピュータを含む。第１のサイト特有値は、フォールト事象、メインテナンス事象又はカリブレイション事象の１つが発生したか否かを示す。本エミッション監視システムはさらに、第１のコンピュータに動作可能に結合された第２のコンピュータを含む。第１のコンピュータはさらに、第１のメッセージを第２のコンピュータに送信するように構成される。第２のコンピュータはさらに、第１のデータベースの第１のレコード内に第１のサイト特有値を記憶するように構成される。第１のレコードは、第１のソフトウェア変数と関連付けられている。第２のコンピュータはさらに、第１のサイト特有値が事象が発生したことを示すか否かを判定するように構成される。第１のサイト特有値が事象が発生したことを示す場合には、第２のコンピュータは、第１の所定名と事象が発生したことを示す第１の標準値に等しい値との両方を有する第２のソフトウェア変数を生成するように構成される。第１のサイト特有値が事象が発生しなかったことを示す場合には、第２のコンピュータは、第１の所定名と事象が発生しなかったことを示す第２の標準値に等しい値との両方を有する第３のソフトウェア変数を生成するように構成される。
【０００８】
別の例示的な実施形態による製品を提供する。本製品は、エミッション監視システムにおいて第１のコンピュータから第２のコンピュータにデータを転送するためのコンピュータ・プログラムをその中にコード化されたコンピュータ記憶媒体を含む。コンピュータ記憶媒体は、第１のコンピュータから第２のコンピュータに送信される、該第１のコンピュータと関連付けられたフォールト事象、メインテナンス事象又はカリブレイション事象の１つが発生したか否かを示す第１のサイト特有値を有する第１のソフトウェア変数を含む第１のメッセージを生成するためのコードを含む。コンピュータ記憶媒体はさらに、第２のコンピュータにおいて第１のメッセージを受信しかつ第１のデータベースの第１のレコード内に第１のサイト特有値を記憶するためのコードを含む。第１のレコードは、第１のソフトウェア変数と関連付けられている。コンピュータ記憶媒体はさらに、第１のサイト特有値が事象が発生したことを示すか否かを判定するためのコードを含む。コンピュータ記憶媒体はさらに、第１のサイト特有値が事象が発生したことを示す場合に、第１の所定名と事象が発生したことを示す第１の標準値に等しい値との両方を有する第２のソフトウェア変数を生成するためのコードを含む。最後に、コンピュータ記憶媒体は、第１の所定名と事象が発生しなかったことを示す第２の標準値に等しい値との両方を有する第３のソフトウェア変数を生成するためのコードを含む。
【０００９】
以下の図面及び詳細な説明を検討することにより、当業者には、本発明の実施形態に従った他のシステム及び／又は方法が明らかになる、或いは自ずと明らかであろう。全てのこのような付加的なシステム及び方法は、本発明の技術的範囲内にあり、特許請求の範囲によって保護されることになることを意図している。
【発明を実施するための最良の形態】
【００１０】
図１を参照すると、電力を発生するための発電システム１０を示している。発電システム１０は、ガスタービン１２、エミッション・スタック（排気筒）１３、ガスタービン１４、排気筒１５及びエミッション監視システム１６を含む。
【００１１】
ガスタービン１２は、発電するように構成され、該ガスタービン１２から排気ガスを受けかつ次にそのガスを放出する排気筒１３に作動可能に結合される。
【００１２】
窒素酸化物（ＮＯｘ）センサ１８は、排気筒１３に動作可能に結合され、排気筒１３内で排気ガスと流体的に交わる。センサ１８は、エミッション監視コンピュータ２２に送信される、排気筒１３内のＮＯｘレベルを示す信号（Ｎ１）を生成する。
【００１３】
一酸化炭素（ＣＯ）センサ２０は、排気筒１３に動作可能に結合され、排気筒１３内で排気ガスと流体的に交わる。センサ２０は、エミッション監視コンピュータ２２に送信される、排気筒１３内のＣＯレベルを示す信号（Ｃ１）を生成する。
【００１４】
エミッション監視コンピュータ２２は、ＮＯｘセンサ１８及びＣＯセンサ２０に動作可能に結合される。エミッション監視コンピュータ２２は、センサ１８及び２０から信号を受信し、対応するソフトウェア変数を所定の事象（例えばフォールト事象、メインテナンス事象又はカリブレイション事象）が発生した或いは発生しなかったか否かを示す所定値に設定するように構成される。エミッション監視コンピュータ２２はさらに、ソフトウェア変数を有するメッセージを中央エミッション監視コンピュータ３０に周期的に送信することによって、該コンピュータ３０と交信する。例えば、フォールト事象が発生した場合、コンピュータ２２は、ソフトウェア変数（ＮＯＸ＿Ｓ１）を、フォールト事象が発生したことを示す内部メモリ２３内の「０」のサイト特有値に設定する。その後、変数（ＮＯＸ＿Ｓ１）を含むメッセージ５２が、コンピュータ２２から中央エミッション監視コンピュータ３０に送信される。同様に、信号（Ｃ１）がフォールト事象が発生したことを示した場合、コンピュータ２２は、ソフトウェア変数（ＣＯ＿Ｓ１）を、フォールト事象が発生したことを示す内部メモリ２３内の「１」のサイト特有値に設定する。その後、変数（ＣＯ＿Ｓ１）を含むメッセージが、中央エミッション監視コンピュータ３０に送信される。
【００１５】
エミッション監視コンピュータ２２はさらに、メインテナンス事象又はカリブレイション事象が発生したか否かを示すサイト特有値を有するソフトウェア変数を中央エミッション監視コンピュータ３０に送信するように構成される。
【００１６】
ガスタービン１４は、発電するように構成され、該ガスタービン１４から排気ガスを受けかつ次にそのガスを放出する排気筒１５に作動可能に結合される。
【００１７】
窒素酸化物（ＮＯｘ）センサ２４は、排気筒１５に動作可能に結合され、排気筒１５内で排気ガスと流体的に交わる。センサ２４は、エミッション監視コンピュータ２８に送信される、排気筒１５内のＮＯｘレベルを示す信号（Ｎ２）を生成する。
【００１８】
一酸化炭素（ＣＯ）センサ２６は、排気筒１５に動作可能に結合され、排気筒１５内で排気ガスと流体的に交わる。センサ２６は、エミッション監視コンピュータ２８に送信される、排気筒１５内のＣＯレベルを示す信号（Ｃ２）を生成する。
【００１９】
エミッション監視コンピュータ２８は、ＮＯｘセンサ２４及びＣＯセンサ２６に動作可能に結合される。エミッション監視コンピュータ２８は、センサ２４及び２６から信号を受信し、対応するソフトウェア変数を所定の事象が発生した或いは発生しなかったか否かを示す所定値に設定するように構成される。エミッション監視コンピュータ２８はさらに、ソフトウェア変数を有するメッセージを中央エミッション監視コンピュータ３０に周期的に送信することによって、該コンピュータ３０と交信する。例えば、フォールト事象が発生した場合、コンピュータ２８は、ソフトウェア変数（ＮＯＸ＿Ｓ２）を、フォールト事象が発生したことを示す内部メモリ２９内の「１」のサイト特有値に設定する。その後、変数（ＮＯＸ＿Ｓ２）を含むメッセージが、コンピュータ２８から中央エミッション監視コンピュータ３０に送信される。同様に、フォールト事象が発生した場合、コンピュータ２８は、ソフトウェア変数（ＣＯ＿Ｓ２）を、フォールト事象が発生したことを示す内部メモリ２９内の「１」のサイト特有値に設定する。その後、変数（ＣＯ＿Ｓ２）を含むメッセージが、中央エミッション監視コンピュータ３０に送信される。
【００２０】
中央エミッション監視コンピュータ３０は、エミッション監視コンピュータ２２及び２８からサイト特有値を有するソフトウェア変数を受信するように構成される。その後、コンピュータ３０は、以下のタスク、すなわち（ｉ）標準化命名法を用いてソフトウェア変数を命名し直すこと、及び（ｉｉ）ソフトウェア変数のサイト特有値を、フォールト事象、メインテナンス事象又はカリブレイション事象を示す標準値に変換することを実行する。言い換えると、中央エミッション監視コンピュータ３０は、複数の異なるエミッション監視コンピュータから事象データを受信し、コンピュータ３０で使用することができる標準フォーマットに該データを変更するように構成される。
【００２１】
例えば、図２及び図４を参照すると、コンピュータ３０は、「１」のサイト特有値を有する変数（ＮＯＸ＿Ｓ１）を含む第１のメッセージをエミッション監視コンピュータ２２から受信することができる。コンピュータ３０は、サイト特有値「１」を有する変数（ＮＯＸ＿Ｓ１）をデータベース５０内に記憶する。データベース５０はまた、「０」の値を有する以前に記憶した変数（ＨＯＬＤ＿Ｎ１）を含み、この値「０」は、エミッション監視コンピュータ２２に関連付けされたフォールト事象値に対応する。コンピュータ３０は、「１」のサイト特有値をサイト特有事象値「０」と比較して、フォールト事象が発生したかどうかを判定する。サイト特有値がサイト特有事象値に等しい場合には、フォールト事象が発生した。そうでない場合には、フォールト事象は発生しなかった。図示した実施例では、「１」のサイト特有値は「０」のサイト特有事象値に等しくないので、コンピュータ３０は、フォールト事象が発生しなかったことを示す「０」の標準値を有する変数（ＣＥＭ＿ＮＯＸ）を生成する。
【００２２】
さらに図３及び図４を参照すると、コンピュータ３０は、「１」のサイト特有値を有する変数（ＣＯ＿Ｓ２）を含む第２のメッセージ５４をエミッション監視コンピュータ２２から受信することができる。コンピュータ３０は、サイト特有値「１」を有する変数（ＣＯ＿Ｓ２）をデータベース５０内に記憶する。データベース５０はまた、「１」の値を有する以前に記憶した変数（ＨＯＬＤ＿Ｃ２）を含み、この値「１」は、エミッション監視コンピュータ２８に関連付けされたフォールト事象値に対応する。コンピュータ３０は、「１」のサイト特有値をサイト特有事象値「１」と比較して、フォールト事象が発生したかどうかを判定する。「１」のサイト特有値が「１」のサイト特有事象値に等しいので、コンピュータ３０は、フォールト事象が発生したことを示す「１」の標準値を有する変数（ＣＥＭ＿ＣＯ）を生成する。
【００２３】
図５を参照して、次にエミッション監視システム１６においてデータを転送する方法を説明する。具体的には、本方法は、フォールト事象情報を送信し、フォーマット化し直しかつ表示することに関して説明する。しかしながら、本方法はまた、カリブレイション事象情報及びメインテナンス事象情報を送信し、フォーマット化しかつ表示することに使用することもできることに留意されたい。
【００２４】
ステップ７０において、エミッション監視コンピュータ２２は、第１のサイト特有値を有する第１のソフトウェア変数（ＮＯＸ＿Ｓ１）を含む第１のメッセージ５２を生成し、この第１のメッセージはエミッション監視コンピュータ３０に送信される。
【００２５】
ステップ７２において、中央エミッション監視コンピュータ３０は、第１のメッセージ５２を受信し、第１のソフトウェ変数（ＮＯＸ＿Ｓ１）と関連付けられているデータベース５０のレコード内に第１のサイト特有値を記憶する。
【００２６】
ステップ７４において、中央エミッション監視コンピュータ３０は、第１のサイト特有値が第１のソフトウェア変数（ＮＯＸ＿Ｓ１）と関連付けられたサイト特有事象値に等しいか否かについての判定を行う。ステップ７４の値が「ｙｅｓ」に相当する場合には、方法はステップ７６に進む。そうでない場合には、方法はステップ７８に進む。
【００２７】
ステップ７６において、エミッション監視コンピュータ３０は、第１の標準名（ＣＥＭ＿ＮＯＸ）とフォールト事象が発生したことを示す「１」に等しい値との両方を有する第２のソフトウェア変数を生成する。
【００２８】
ステップ７８において、エミッション監視コンピュータ３０は、第１の標準名（ＣＥＭ＿ＮＯＸ）とフォールト事象が発生しなかったことを示す「０」に等しい値との両方を有する第３のソフトウェア変数を生成する。
【００２９】
ステップ７６又は７８のいずれかの後に、方法はステップ８０に進む。ステップ８０において、エミッション監視コンピュータ２８は、第２のサイト特有値を有する第４のソフトウェア変数（ＣＯ＿Ｓ２）を含む第２のメッセージ５４を生成し、この第２のメッセージはエミッション監視コンピュータ３０に送信される。
【００３０】
ステップ８２において、エミッション監視コンピュータ３０は、第２のメッセージ５４を受信し、第４のソフトウェア変数（ＣＯ＿Ｓ２）に関連付けられている第１のデータベースのレコード内に第２のサイト特有値を記憶する。
【００３１】
ステップ８４において、中央エミッション監視コンピュータ３０は、第２のサイト特有値が第４のソフトウェア変数（ＣＯ＿Ｓ２）に関連付けられたサイト特有事象値に等しいか否かについての判定を行う。ステップ８４の値が「ｙｅｓ」に相当する場合には、方法はステップ８６に進む。そうでない場合には、方法はステップ８８に進む。
【００３２】
ステップ８６において、エミッション監視コンピュータ３０は、第２の標準名（ＣＥＭ＿ＣＯ）とフォールト事象が発生したことを示す「１」に等しい値との両方を有する第５のソフトウェア変数を生成する。
【００３３】
ステップ８８において、エミッション監視コンピュータ３０は、第２の標準名（ＣＥＭ＿ＣＯ）とフォールト事象が発生しなかったことを示す「０」に等しい値との両方を有する第６のソフトウェア変数を生成する。
【００３４】
ステップ８６及び８８のいずれかの後に、方法はステップ９０に進む。ステップ９０において、エミッション監視コンピュータ３０は、第２及び第３の変数の１つと第５及び第６の変数の１つとをコンピュータ表示装置３２上に表示する。
【００３５】
エミッション監視システムにおいてデータを転送する本システム及び方法は、他のシステム及び方法に優る大きな利点をもたらす。具体的には、本システム及び方法は、様々な地理的サイトにおける局所エミッション監視コンピュータから中央エミッション監視コンピュータに送信される情報のフォーマットを標準化する技術的効果をもたらす。従って、中央エミッション監視コンピュータは、複数の異なるエミッション監視コンピュータからの事象情報をより容易に表示及び取扱うことができる。
【００３６】
上記のように、本発明は、これら過程を実施するためのコンピュータ実行プロセス及び装置の形態で具現化することができる。本発明はまた、フロッピー（登録商標）ディスク、ＣＤ  ＲＯＭ、ハード・ドライブ又は他の任意のコンピュータ可読記憶媒体など有形媒体内に具体化させた命令を含むコンピュータ・プログラム・コードの形態で具現化することができ、その場合、コンピュータ・プログラム・コードがコンピュータにロードされかつコンピュータによって実行されたとき、コンピュータは、本発明を実施するための装置になる。本発明はまた、例えば、記憶媒体内に記憶されるか、コンピュータにロードされかつ／又はコンピュータによって実行されるか、或いは電線又はケーブルを通して、光ファイバを通して、又は電磁放射線を介してなどの何らかの送信媒体を通して送信されるかのいずれかのコンピュータ・プログラム・コードの形態で具現化することができ、その場合、コンピュータ・プログラム・コードがコンピュータにロードされかつ／又はコンピュータによって実行されたとき、コンピュータは、本発明を実施するための装置になる。汎用マイクロプロセッサで実行する場合、コンピュータ・プログラム・コード・セグメントが、マイクロプロセッサを構成して固有の論理回路を形成する。
【００３７】
例示的な実施形態に関して本発明を説明しているが、本発明の技術的範囲から逸脱することなく、本発明の要素に対して様々な変更を加えることができ、また本発明の要素を均等物で置き換えることができることは、当業者には明らかであろう。加えて、本発明の技術的範囲から逸脱することなく本発明の教示に対して多くの修正を加えて、特定の状況に適応させることができる。したがって、本発明は、本発明を実施するために開示した実施形態に限定されるものではなく、本発明は、目的とする特許請求項の範囲の技術的範囲内に属する全ての実施形態を含むことを意図している。さらに、第１の、第２のなどの用語の使用は、何らの重要性の順序を意味するものではなく、これらの第１の、第２のなどの用語は、１つの要素を他の要素と区別するために使用する。
【図面の簡単な説明】
【００３８】
【図１】例示的な実施形態によるエミッション監視システムを有する発電システムの概略図。
【図２】図１のエミッション監視システムによって使用されるデータベースを示す図。
【図３】エミッション監視コンピュータから中央エミッション監視コンピュータに送信される第１のメッセージを示す図。
【図４】エミッション監視コンピュータから中央エミッション監視コンピュータに送信される第２のメッセージを示す図。
【図５】図１のエミッション監視システムにおいてデータを転送する方法のフローチャート。
【図６】図１のエミッション監視システムにおいてデータを転送する方法のフローチャート。
【符号の説明】
【００３９】
１０  発電システム
１６  エミッション監視システム
１２、１４  蒸気タービン
１３、１５  排気筒
１８、２４  ＮＯｘセンサ
２０、２６  ＣＯセンサ
２２、２８  エミッション監視コンピュータ
３０  中央エミッション監視コンピュータ
３２  コンピュータ表示装置
【図１】
2006085677.tif 000003
【図２】
2006085677.tif 000004
【図３】
2006085677.tif 000005
【図４】
2006085677.tif 000006
【図５】
2006085677.tif 000007
【図６】
2006085677.tif 000008